(57)【要約】【課題】  PCからのインターフェースを使用して二次電池を充電できる周辺装置において、インターフェースを使用して充電してもPCの駆動時間に影響のない時にだけ周辺機器の二次電池に充電ができるようにする。【解決手段】  PCの駆動が二次電池駆動なのか商用電源なのかにより、PCインターフェースからの電力供給を行うかを決め、PCの駆動が二次電池であった時には、周辺装置の二次電池が少なくなった時にだけ動作に必要な電力を供給してもらうことでようにすることで、PCの駆動時間にもほとんど影響も無く、周辺機器の二次電池を最大限使用することが可能になる。【選択図】  図１
2007109081.tif 000002
【特許請求の範囲】
【請求項１】
パーソナルコンピュータと接続可能なインターフェース部を有する周辺装置において、電池からなり前記周辺機器に内蔵された各種回路へ供給する電力を蓄えた電力供給部と、前記電力供給部はAC電源から充電する手段と前記インターフェース部から充電する手段の両方の充電手段と、前記パーソナルコンピュータの形態情報を受け取る形態情報受領手段と、前記形態情報受領手段で受け取った情報を解析する解析手段と、前記電力供給部にAC電源が接続されていなかった場合で、前記解析手段で解析した結果、前記パーソナルコンピュータが前記インターフェースを通して周辺機器に対して電力を供給できる状態であり、前記パーソナルコンピュータの動作形態が二次電池駆動でなかった場合には前記インターフェース部からの充電を行うことを特徴とする周辺装置。
【請求項２】
前記電力供給部は前記周辺機器がAC電源に接続されていた場合には、AC電源からの電力供給を受け、前記インターフェース部からの電力供給は受けないことを特徴とする請求項1に記載の周辺装置。
【請求項３】
前記充電手段で充電が行われておらず、前記電力供給部の残量を確認する残量確認手段であるレベル以下と判断された場合で、前記周辺機器が動作中で無かった場合には前記周辺機器の電源をOFFにする電源シャットダウン手段を有することを特徴とする請求項1または、請求項2に記載の周辺装置。
【請求項４】
前記形態情報受領手段で受け取った情報を前記解析手段で解析した結果、前記パーソナルコンピュータが前記インターフェースを通して周辺機器に対して電力を供給できる状態であり、パーソナルコンピュータの動作形態が電池であった場合で、通常、前記インターフェース部からの充電は行わないが、周辺機器が動作中に前記残量確認手段で、あるレベル以下と判断された場合には、周辺機器の動作が終了するまで前記インターフェース部から電力供給を受け、前記充電手段により充電を行い、周辺機器の動作が終了したときに前記インターフェース部からの充電を終了し、前記シャットダウン手段により周辺機器の電源をOFFにすることを特徴とする請求項1、請求項2、または、請求項3に記載の周辺装置。
【請求項５】
前記形態情報受領手段で受け取った情報を前記解析手段で解析した結果、前記パーソナルコンピュータが前記インターフェースを通して周辺機器に対して電力を供給できる状態であり、パーソナルコンピュータの動作形態が電池であった場合で、通常、前記インターフェース部からの充電は行わないが、周辺機器が動作中に前記残量確認手段で、あるレベル以下と判断された場合には、前記インターフェース部から電力供給を受け、前記充電手段により充電を行い、周辺機器の動作をすぐに終了してスタンバイ状態に戻し、前記インターフェース部からの充電を終了し、前記シャットダウン手段により周辺機器の電源をOFFにすることを特徴とする請求項1、請求項2、または、請求項3に記載の周辺装置。
【請求項６】
前記形態情報受領手段で受け取った情報を前記解析手段で解析した結果、前記パーソナルコンピュータが前記インターフェースを通して周辺機器に対して電力を供給できる状態であり、パーソナルコンピュータの動作形態が電池であった場合で、通常、前記インターフェース部からの充電は行わないが、周辺機器が動作中に前記残量確認手段で、あるレベル以下と判断された場合には、前記インターフェース部から電力供給を受け、前記インターフェース部からの電力で動作する低電圧動作モードに移行し、周辺機器の動作をすぐに終了しスタンバイ状態に戻し、前記シャットダウン手段により周辺機器の電源をOFFにするとともに、前記インターフェース部からの電力供給を終了することを特徴とする請求項1、請求項2、または、請求項3に記載の周辺装置。
【発明の詳細な説明】
【技術分野】
【０００１】
本発明はパーソナルコンピュータとインターフェースで接続されるACアダプタ、または、二次電池で駆動する周辺装置に関するものである。
【背景技術】
【０００２】
二次電池で駆動する周辺機器装置では、バッテリの消費により動作不可能な状態になることがありえる。動作が不可能な状態にしないために特開2002-111919号公開特許公報に開示された画像読取装置及び情報処理装置並びにそれらの制御方法では、情報処理装置と接続するケーブルからの電力供給により二次電池の充電の方法が記されている。また、特開2004-322599号公開特許公報に開示された記録装置では、電池残量を検知しておき記録途中で電池がなくならないように電池残量と印刷に要する電力の関係を比較する手段を有するようになっている。
【特許文献１】特開２００２−１１１９１９号公報
【特許文献２】特開２００４−３２２５９９号公報
【発明の開示】
【発明が解決しようとする課題】
【０００３】
しかしながら、上記公開特許公報に記載した二次電池を有する周辺機器装置では、以下のような問題がそれぞれあった。すなわち、特開2002-111919号公開特許公報に示された技術では、情報処理装置の状態によらず情報処理装置から電力を取ってしまうため、情報処理装置が二次電池駆動であった場合には情報処理装置の二次電池の容量を無くしてしまい情報処理装置側の動作時間を短くしてしまう。また、特開2004-322599号公開特許公報に示された技術では、情報処理装置からのデータをホスト側で記録ドット数をカウントしておき消費する電力を計算する方法であるが、記録装置の温度条件などで使用される電力も変わってくるため記録不可能と判断する条件を最大負荷条件にしなくてはならなく、最後まで二次電池を使用することが難しいと言う問題があった。本発明は、上記の問題点を改善するためのものであり、その目的とするところは、二次電池で駆動している情報処理装置の電力の負荷を少なくし、周辺装置の二次電池を最後まで使用出来るようにすることである。
【課題を解決するための手段】
【０００４】
上記した目的を達成するために、本発明の第一の側面によれば、パーソナルコンピュータと接続可能なインターフェース部を有する周辺装置において、電池からなり前記周辺機器に内蔵された各種回路へ供給する電力を蓄えた電力供給部と、前記電力供給部はAC電源から充電する手段と前記インターフェース部から充電する手段の両方の充電手段と、前記パーソナルコンピュータの形態情報を受け取る形態情報受領手段と、前記形態情報受領手段で受け取った情報を解析する解析手段と、前記電力供給部にAC電源が接続されていなかった場合で、前記解析手段で解析した結果、前記パーソナルコンピュータが前記インターフェースを通して周辺機器に対して電力を供給できる状態であり、前記パーソナルコンピュータの動作形態が二次電池駆動でなかった場合には前記インターフェース部からの充電を行うことを特徴としており、前記形態情報受領手段で受け取った情報を前記解析手段で解析した結果、前記パーソナルコンピュータが前記インターフェースを通して周辺機器に対して電力を供給できる状態であり、パーソナルコンピュータの動作形態が電池であった場合で、通常、前記インターフェース部からの充電は行わないが、周辺機器が動作中に前記残量確認手段で、あるレベル以下と判断された場合には、周辺機器の動作が終了するまで前記インターフェース部から電力供給を受け、前記充電手段により充電を行い、周辺機器の動作が終了したときに前記インターフェース部からの充電を終了し、前記シャットダウン手段により周辺機器の電源をOFFにすることを特徴としている。
【０００５】
本発明の第二の側面によれば、パーソナルコンピュータと接続可能なインターフェース部を有する周辺装置において、電池からなり前記周辺機器に内蔵された各種回路へ供給する電力を蓄えた電力供給部と、前記電力供給部はAC電源から充電する手段と前記インターフェース部から充電する手段の両方の充電手段と、前記パーソナルコンピュータの形態情報を受け取る形態情報受領手段と、前記形態情報受領手段で受け取った情報を解析する解析手段と、前記電力供給部にAC電源が接続されていなかった場合で、前記解析手段で解析した結果、前記パーソナルコンピュータが前記インターフェースを通して周辺機器に対して電力を供給できる状態であり、前記パーソナルコンピュータの動作形態が二次電池駆動でなかった場合には前記インターフェース部からの充電を行うことを特徴としており、前記形態情報受領手段で受け取った情報を前記解析手段で解析した結果、前記パーソナルコンピュータが前記インターフェースを通して周辺機器に対して電力を供給できる状態であり、パーソナルコンピュータの動作形態が電池であった場合で、通常、前記インターフェース部からの充電は行わないが、周辺機器が動作中に前記残量確認手段で、あるレベル以下と判断された場合には、前記インターフェース部から電力供給を受け、前記充電手段により充電を行い、周辺機器の動作をすぐに終了してスタンバイ状態に戻し、前記インターフェース部からの充電を終了し、前記シャットダウン手段により周辺機器の電源をOFFにすることを特徴としている。
【０００６】
本発明の第三の側面によれば、パーソナルコンピュータと接続可能なインターフェース部を有する周辺装置において、電池からなり前記周辺機器に内蔵された各種回路へ供給する電力を蓄えた電力供給部と、前記電力供給部はAC電源から充電する手段と前記インターフェース部から充電する手段の両方の充電手段と、前記パーソナルコンピュータの形態情報を受け取る形態情報受領手段と、前記形態情報受領手段で受け取った情報を解析する解析手段と、前記電力供給部にAC電源が接続されていなかった場合で、前記解析手段で解析した結果、前記パーソナルコンピュータが前記インターフェースを通して周辺機器に対して電力を供給できる状態であり、前記パーソナルコンピュータの動作形態が二次電池駆動でなかった場合には前記インターフェース部からの充電を行うことを特徴としており、前記形態情報受領手段で受け取った情報を前記解析手段で解析した結果、前記パーソナルコンピュータが前記インターフェースを通して周辺機器に対して電力を供給できる状態であり、パーソナルコンピュータの動作形態が電池であった場合で、通常、前記インターフェース部からの充電は行わないが、周辺機器が動作中に前記残量確認手段で、あるレベル以下と判断された場合には、前記インターフェース部から電力供給を受け、前記インターフェース部からの電力で動作する低電圧動作モードに移行し、周辺機器の動作をすぐに終了しスタンバイ状態に戻し、前記シャットダウン手段により周辺機器の電源をOFFにするとともに、前記インターフェース部からの電力供給を終了することを特徴としている。
【発明の効果】
【０００７】
本発明の周辺装置によれば、パーソナルコンピュータとのインターフェースから電力の供給を受けることができる手段を有しているが、パーソナルコンピュータの電力駆動の形態により、インターフェースからの電力供給を受けるかどうかを周辺装置側で決めているので、パーソナルコンピュータが二次電池駆動で動作しているときにでも、周辺装置の二次電池を最大限に使用でき、パーソナルコンピュータの駆動時間にはほとんど影響を与えない方法である。
【発明を実施するための最良の形態】
【０００８】
（実施例１）
以下、図面を参照して本発明における一実施例を説明する。
【０００９】
図１は、本発明を適用した記録装置の概略構成を示すブロック図である。
【００１０】
１は記録装置全体を表しており、制御部2は、記録システム全体を制御するためのものである。制御部2には、制御部の頭脳であるCPU3、システムを動作させるためのプログラムを記憶してあるROM4、画像などの情報を一時的に記憶するRAM5、時間などを計時するタイマ6、印字ドット数やセンサのON/OFF回数をカウントするカウンタ7がある。プリンタI/FはUSBやIEEE1394などのパーソナルコンピュータ（今後はPCと略す）と接続するためのものである。操作部9はスタート/ストップや記録枚数を変えるためのキー等を備え、オペレータの操作により状態を変化させ、表示部10はLEDやLCD等により構成され、オペレータによる各種入力操作や、装置の動作状況、状態表示等を行う。プリンタ制御部11はモータの制御や印字するためのヒートパルスの制御などを行っており、電源制御部12は二次電池への充電制御や残量検知を行っている。
【００１１】
次に、図2は本発明の実施例１にかかる電源制御部12の構成について示すブロック図である。
【００１２】
充電制御部21は電源制御部内の充電する/しない、ACアダプタからの充電かUSB  I/FのVBusからの充電を行うかの切り換え等を制御している。ACアダプタ28は記録装置に電源ライン33で12Vの電圧を供給しており、ACコード29を介して商用電源（100V）とACアダプタ28を接続させている。USB  I/F30はUSBコネクタを表しており、USBケーブル31を使用してPCと接続させている。USB I/Fと電源制御部12を結んでいるライン32はUSBにあるVBusを表しており、５Vの電力を供給することが出来る。接続検出部22は記録装置1にACアダプタ28が接続されている状態かを検出しており、切り換え部23はACアダプタからの電力で二次電池を充電するか、USB  I/Fと接続しているVBusから二次電池を充電するかの切り替えを行い、満充電になっているときは両方ともに接続を行わない。昇圧回路24はVBusの５Vを１２Vに変換するための回路である。充電器25は二次電池への過電圧や過電流などをカットを行うところで、二次電池26は記録装置にACアダプタ28が接続されていないときにも記録装置に電力を供給するためのもので、残量検出部27は二次電池26の残量を検出を行うところであり、整流回路34はダイオードを使用した逆流防止用回路である。
【００１３】
次に、本発明の実施例１にかかる記録装置の状態の変化について、図３のフローチャートを用いて説明する。
【００１４】
ステップS１０１で残量検出部27で二次電池26の残量を検出し、二次電池26の残量が満充電であるかを調べ、満充電であればステップS１０２に進み、二次電池26への充電を行っているかは充電制御部21で制御しているので二次電池26への充電を行っていないならば以上の動作を繰り返す。ステップS１０２で二次電池26への充電を行っているならばステップS１０３で二次電池26の充電を終了し、ステップS１０１に戻る。ステップS１０１で二次電池26の残量が満充電でないならばステップS１０４でプリンタがACアダプタと接続しているかを接続検出部22で調べ、接続されているときはステップS１０５に進み、二次電池26へACアダプタ28からの電力を使用して充電を行う。ステップS１０４でACアダプタと接続していないならば、ステップS１０６でプリンタがPCと接続されているかを制御部２で調べ、接続していないならばステップS１０７で二次電池26の残量がレベル１以下かを残量検出部27で調べ、レベル１以上であればステップS１０４に戻る。ステップS１０７で残量がレベル１以下であったならば、ステップS１０８でプリンタが動作中かを確認する。確認した結果、プリンタが動作中であったならば、ステップS１０９ですぐに動作を終了して、インクカートリッジをキャッピングしてスタンバイ状態に戻し、ステップS１１０でプリンタの電源を落としてシャットダウンを行う。ステップS１０８でプリンタが動作中でないならばインクカートリッジがすでにキャッピングされている状態なため、ステップS１１０でプリンタの電源を落としてシャットダウンを行う。ステップS１０６でプリンタがPCと接続されているならば、ステップS１１１に進み、USB  I/Fで接続されているホストが電力を供給できる状態かを、プリンタドライバを使用してPCからプリンタに送ってもらい、その情報の一部に電力を供給できる状態が示されており、供給できない状態（無線接続されている等）であるならばステップS１０７に進む。ステップS１１１で供給できる状態であるならば、ステップS１１２に進み、PCが商用電源（１００V）から電力の供給を受けているかの情報はプリンタドライバから送ってもらった情報の中にあり、商用電源（１００V）から電力の供給を受けているならば、ステップS１１３に進み、二次電池26へライン32のVBusからの電力を使用して充電を行う。ステップS１１２で、PCが商用電源（１００V）と接続されていないときは、ステップS１１４で二次電池26の残量がレベル２以下かを残量検出部27で確認する。ここでレベル２とレベル１にはレベル２＜レベル１の関係がある。ステップS１１４でレベル２以上であったならば、ステップS１０４に戻る。ステップS１１４でレベル２以下であったならば、ステップS１１５に進み、プリンタは動作中かを確認する。動作中でないならばインクカートリッジがすでにキャッピングされている状態なため、ステップS１１６でプリンタの電源を落としてシャットダウンを行う。ステップS１１５でプリンタが動作中であったならば、ステップS１１７に進み、二次電池26へライン32のVBusからの電力を使用して充電を行う。ステップS１１８でプリンタ動作が終了したかを確認し、終了していないならばステップS１１９でACアダプタ28と接続されたかを接続検出部22で確認し、プリント動作が終了するまでこの動作を���ける。ステップS１１９でACアダプタが接続されたならば、ステップS１２０で二次電池26へライン32のVBusからの電力を使用して充電するのを終了してステップS１０４に戻る。ステップS１１８でプリンタの動作が終了したならば、ステップS１２１で二次電池26へライン32のVBusからの電力を使用して充電するのを終了し、ステップS１１６に進んで、プリンタの電源を落としてシャットダウンを行う。
【００１５】
（実施例２）
次に、本発明の実施例２にかかる記録装置の状態の変化について、図４のフローチャートを用いて説明する。
【００１６】
ステップS２０１で残量検出部27で二次電池26の残量を検出し、二次電池26の残量が満充電であるかを調べ、満充電であればステップS２０２に進み、二次電池26への充電を行っているかは充電制御部21で制御しているので二次電池26への充電を行っていないならば以上の動作を繰り返す。ステップS２０２で二次電池26への充電を行っているならばステップS２０３で二次電池26の充電を終了し、ステップS２０１に戻る。ステップS２０１で二次電池26の残量が満充電でないならばステップS２０４でプリンタがACアダプタと接続しているかを接続検出部22で調べ、接続されているときはステップS２０５に進み、二次電池26へACアダプタ28からの電力を使用して充電を行う。ステップS２０４でACアダプタと接続していないならば、ステップS２０６でプリンタがPCと接続されているかを制御部２で調べ、接続していないならばステップS２０７で二次電池26の残量がレベル１以下かを残量検出部27で調べ、レベル１以上であればステップS２０４に戻る。ステップS２０７で残量がレベル１以下であったならば、ステップS２０８でプリンタが動作中かを確認する。確認した結果、プリンタが動作中であったならば、ステップS２０９ですぐに動作を終了して、インクカートリッジをキャッピングしてスタンバイ状態に戻し、ステップS２１０でプリンタの電源を落としてシャットダウンを行う。ステップS２０８でプリンタが動作中でないならばインクカートリッジがすでにキャッピングされている状態なため、ステップS２１０でプリンタの電源を落としてシャットダウンを行う。ステップS２０６でプリンタがPCと接続されているならば、ステップS２１１に進み、USB  I/F30で接続されているホストが電力を供給できる状態かを、プリンタドライバを使用してPCからプリンタに送ってもらい、その情報の一部に電力を供給できる状態が示されており、供給できない状態（無線接続されている等）であるならばステップS２０７に進む。ステップS２１で供給できる状態であるならば、ステップS２１２に進み、PCが商用電源（１００V）から電力の供給を受けているかの情報はプリンタドライバから送ってもらった情報の中にあり、商用電源（１００V）から電力の供給を受けているならば、ステップS２１３に進み、二次電池26へライン32のVBusからの電力を使用して充電を行う。ステップS２１２で、PCが商用電源（１００V）と接続されていないときは、ステップS２１４で二次電池26の残量がレベル２以下かを残量検出部27で確認する。ここでレベル２とレベル１にはレベル２＜レベル１の関係がある。ステップS２１４でレベル２以上であったならば、ステップS２０４に戻る。ステップS２１４でレベル２以下であったならば、ステップS２１５に進み、プリンタは動作中かを確認する。動作中でないならばインクカートリッジがすでにキャッピングされている状態なため、ステップS２１６でプリンタの電源を落としてシャットダウンを行う。ステップS２１５でプリンタが動作中であったならば、ステップS２１７に進み、二次電池26へライン32のVBusからの電力を使用して充電を行う。ステップS２１８ですぐに動作を終了して、インクカートリッジをキャッピングしてスタンバイ状態に戻し、ステップS２１９で二次電池26へライン32のVBusからの電力を使用して充電するのを終了し、ステップS２１６に進んで、プリンタの電源を落としてシャットダウンを行う。
【００１７】
（実施例３）
図５は本発明の実施例３にかかる電源制御部12の構成について示したブロック図である。
【００１８】
充電制御部51は電源制御部内の充電する/しない、ACアダプタからの充電かUSB  I/FのVBusからの充電を行うかの切り換え等を制御している。ACアダプタ58は記録装置に電源ライン64で12Vの電圧を供給しており、ACコード59を介して商用電源（100V）とACアダプタ58を接続させている。USB  I/F60はUSBコネクタを表しており、USBケーブル61を使用してPCと接続させている。USB I/Fと電源制御部12を結んでいるライン63はUSBにあるVBusを表しており、５Vの電力を供給することが出来る。接続検出部52は記録装置1にACアダプタ58が接続されている状態かを検出しており、切り換え部53はACアダプタ58からの電力で二次電池を充電するか、USB  I/Fと接続しているVBusから二次電池を充電するかの切り替えを行い、満充電になっているときは両方ともに接続を行わない。昇圧回路54はVBusの５Vを１２Vに変換するための回路である。充電器55は二次電池への過電圧や過電流などをカットを行うところで、二次電池56は記録装置にACアダプタ58が接続されていないときにも記録装置に電力を供給するためのもので、残量検出部57は二次電池56の残量を検出を行うところであり、整流回路62はダイオードを使用した逆流防止用回路である。
【００１９】
図６は本発明の実施例３にかからプリンタ制御部11の構成について示したブロック図である。
【００２０】
プリンタ制御部の中にはモータ制御部100とセンサ制御部110が有り、ここでは図示していないがインクカートリッジのインクの吐出を制御するヒート制御部がある。モータ制御部100には、モータの電源を制御するモータ電源制御部101、モータの動作を制御するモータ動作制御部102、インクタンクを動かすためのキャリッジモータ104、記録紙をフィードするためのペーパーフィードモータ105、インクタンクをキャッピングするためのポンプキャップモータ106、モータそれぞれにモータドライバ103がある。センサ制御部110には、センサ電源制御部111、センサの信号の変化を検知するセンサ検知部１12、記録紙有り無を検地するペーパー有り無しセンサ113、インクカートリッジがホームポジションにあるかを検知するホームポジションセンサ114、記録紙をピックアップできる位置にあるかを検知するペーパーフィードセンサ115、インクカートリッジの位置を検知するキャリッジ位置センサ116、記録紙の搬送用のローラの進み具合を検知するローラ位置センサ117などがある。このなかで、通常状態ではすべてのモータとセンサに電源を供給しているが、低消費電力モードの場合は、必要なものだけに電力を供給している。それは、キャリッジモータ104とポンプキャップモータには電力を供給し、ペーパーフィードモータには電力の供給をやめる。センサでは、ホームポジションセンサ114とキャリッジ位置センサ116にだけ電力を供給し、それ以外には電力の供給を止める。
【００２１】
次に、本発明の実施例３にかかる記録装置の状態の変化について、図７のフローチャートを用いて説明する。
【００２２】
ステップS３０１で残量検出部57で二次電池56の残量を検出し、二次電池56の残量が満充電であるかを調べ、満充電であればステップS３０２に進み、二次電池56への充電を行っているかは充電制御部51で制御しているので二次電池56への充電を行っていないならば以上の動作を繰り返す。ステップS３０２で二次電池56への充電を行っているならばステップS３０３で二次電池56の充電を終了し、ステップS３０１に戻る。ステップS３０１で二次電池56の残量が満充電でないならばステップS３０４でプリンタがACアダプタと接続しているかを接続検出部52で調べ、接続されているときはステップS３０５に進み、二次電池56へACアダプタ58からの電力を使用して充電を行う。ステップS３０４でACアダプタと接続していないならば、ステップS３０６でプリンタがPCと接続されているかを制御部２で調べ、接続していないならばステップS３０７で二次電池56の残量がレベル１以下かを残量検出部57で調べ、レベル１以上であればステップS３０４に戻る。ステップS３０７で残量がレベル１以下であったならば、ステップS３０８でプリンタが動作中かを確認する。確認した結果、プリンタが動作中であったならば、ステップS３０９でプリンタの動作を停止させ、ステップS３１０で確実にインクカートリッジをキャッピングするために電力の消費を少なくする低消費モードに移行して、ステップS３１１で、インクカートリッジをキャッピングしてスタンバイ状態に戻し、ステップS３１２でプリンタの電源を落としてシャットダウンを行う。ステップS３０８でプリンタが動作中でないならばインクカートリッジがすでにキャッピングされている状態なため、ステップS３１２でプリンタの電源を落としてシャットダウンを行う。ステップS３０６でプリンタがPCと接続されているならば、ステップS３１３に進み、USB  I/Fで接続されているホストが電力を供給できる状態かを、プリンタドライバを使用してPCからプリンタに送ってもらい、その情報の一部に電力を供給できる状態が示されており、供給できない状態（無線接続されている等）であるならばステップS３０７に進む。ステップS３１３で供給できる状態であるならば、ステップS３１４に進み、PCが商用電源（１００V）から電力の供給を受けているかの情報はプリンタドライバから送ってもらった情報の中にあり、商用電源（１００V）から電力の供給を受けているならば、ステップS３１５に進み、二次電池56へライン63のVBusからの電力を使用して充電を行う。ステップS３１４で、PCが商用電源（１００V）と接続されていないときは、ステップS３１６で二次電池56の残量がレベル２以下かを残量検出部57で確認する。ここでレベル２とレベル１にはレベル２＜レベル１の関係がある。ステップS３１６でレベル２以上であったならば、ステップS３０４に戻る。ステップS３１６でレベル２以下であったならば、ステップS３１７に進み、プリンタは動作中かを確認する。動作中でないならばインクカートリッジがすでにキャッピングされている状態なため、ステップS３１８でプリンタの電源を落としてシャットダウンを行う。ステップS３１７でプリンタが動作中であったならば、ステップS３１９に進み、プリンタ動作を停止し、ステップS３２０で確実にインクカートリッジをキャッピングするために電力の��費を少なくする低消費モードに移行して、ステップS３２１で、二次電池56へライン63のVBusからの電力を使用して充電を行う。ステップS３２２でプリンタ動作を中止してインクカートリッジをキャッピングしてスタンバイ状態に戻し、ステップS３２３で二次電池56へライン63のVBusからの電力を使用して充電を止めて、ステップS３１８でプリンタの電源を落としてシャットダウンを行う。
【図面の簡単な説明】
【００２３】
【図１】本発明を適用した記録装置の概略構成を示すブロック図。
【図２】本発明の実施例１にかかる電源制御部12の構成について示すブロック図。
【図３】本発明の実施例１にかかる記録装置の状態の変化を示すフローチャート。
【図４】本発明の実施例２にかかる記録装置の状態の変化を示すフローチャート。
【図５】本発明の実施例３にかかる電源制御部12の構成について示したブロック図。
【図６】本発明の実施例３にかからプリンタ制御部11の構成について示したブロック図。
【図７】本発明の実施例３にかかる記録装置の状態の変化を示すフローチャート。
【符号の説明】
【００２４】
1  記録装置（プリンタ）
2  制御部
11  プリンタ制御部
12  電源制御部
21、51  充電制御部
22、52  接続検出部
23、53  切り換え部
26、56  二次電池
27、57  残量検出部
28、58  アダプタ
30、60  USB  I/F
100  モータ制御部
110  センサ制御部
【図１】
2007109081.tif 000003
【図２】
2007109081.tif 000004
【図３】
2007109081.tif 000005
【図４】
2007109081.tif 000006
【図５】
2007109081.tif 000007
【図６】
2007109081.tif 000008
【図７】
2007109081.tif 000009